(57)【要約】【課題】災害時に管理者が不在であっても、防災用倉庫内の飲食料品や日用品等を施設利用者に確実に供給する。【解決手段】本発明に係る防災用倉庫用施錠システムは、扉１１を電動で施解錠する電気錠装置１２と、複数の利用者のそれぞれに固有の複数の認証情報を記憶する記憶部１７と、認証情報を記憶した認証カード１５から、認証情報を読み取るカードリーダ１３と、カードリーダ１３で読み取った認証情報と、記憶部１７に記憶された認証情報とが一致するか否かを照合するように構成されていて、カードリーダ１３で読み取られた認証情報が、記憶部１７に記憶された複数の認証情報の内、所定時間内に所定数一致する場合に、電気錠装置１２が施錠状態であれば電気錠装置１２を制御して扉１１を解錠する制御部１６と、を備える。【選択図】図２
2015183444.tif 000002
【特許請求の範囲】
【請求項１】
複数の利用者が共有する施設の防災用倉庫の扉に設けられる防災用倉庫用施錠システムであって、
前記扉を電動で施解錠する電気錠装置と、
前記複数の利用者のそれぞれに固有の複数の認証情報を記憶する記憶部と、
前記認証情報を記憶した認証記憶媒体から、前記認証情報を読み取る情報読取部と、
前記情報読取部で読み取った前記認証情報と、前記記憶部に記憶された前記認証情報とが一致するか否かを照合するように構成されていて、前記情報読取部で読み取られた前記認証情報が、前記記憶部に記憶された複数の前記認証情報の内、所定時間内に所定数一致する場合に、前記電気錠装置が施錠状態であれば前記電気錠装置を制御して前記扉を解錠する制御部と、を備えることを特徴とする防災用倉庫用施錠システム。
【請求項２】
前記制御部は、前記情報読取部で読み取られた前記認証情報が、前記記憶部に記憶された前記認証情報と連続して一致する場合に、前記電気錠装置を制御して前記扉を解錠することを特徴とする請求項１に記載の防災用倉庫用施錠システム。
【請求項３】
複数の利用者が共有する施設の防災用倉庫の扉に設けられていて、前記扉を電動で施解錠する防災用倉庫用電気錠装置であって、
前記複数の利用者のそれぞれに固有の複数の認証情報を記憶する記憶部と、
前記認証情報を記憶した認証記憶媒体から、前記認証情報を読み取る情報読取部と、
前記情報読取部で読み取った前記認証情報と、前記記憶部に記憶された前記認証情報とが一致するか否かを照合するように構成されていて、前記情報読取部で読み取られた前記認証情報が、前記記憶部に記憶された複数の前記認証情報の内、所定時間内に所定数一致する場合に、該防災用倉庫用電気錠装置が施錠状態であれば該防災用倉庫用電気錠装置を制御して前記扉を解錠する制御部と、を備えることを特徴とする防災用倉庫用電気錠装置。
【請求項４】
前記制御部は、前記情報読取部で読み取られた前記認証情報が、前記記憶部に記憶された前記認証情報と連続して一致する場合に、該防災用倉庫用電気錠装置を制御して前記扉を解錠することを特徴とする請求項３に記載の防災用倉庫用電気錠装置。
【発明の詳細な説明】
【技術分野】
【０００１】
本発明は、扉を電気錠装置によって電動で施解錠する施錠システムに関し、特に、複数の利用者が共有する施設の防災用倉庫の扉に設けられる防災用倉庫用施錠システム及び防災用倉庫用電気錠装置に関する。
【背景技術】
【０００２】
近年、集合住宅等の建物のように複数の利用者が存在する施設では、災害時に入居者等の施設利用者の飲食料品や日用品等を備蓄するために防災用倉庫が設置されることがある。通常、このような防災用倉庫では、施設利用者や第三者が出入りできないように建物の管理者により扉の施錠管理がされている。
【０００３】
このような防災用倉庫の扉を施解錠するための施錠システムには、この扉を施解錠する電気錠装置と、認証カードから認証情報を読み取るカードリーダと、読み取った認証情報を照合すると共に電気錠装置を制御する制御装置とを備えたものがある。そして、防災用倉庫の不正利用を回避するために、防災用倉庫の扉を施解錠するための認証カードは、管理者のみによって保有及び管理される。
【０００４】
例えば、特許文献１の施錠装置は、防災用キャビネットやロッカー等の施錠に使用されるもので、カードキー等の鍵を用いて施解錠することができるようにした操作型施解錠機構を備えている。この操作型施解錠機構として、管理者の有するＩＤカードからの信号を受けて作動体を施錠位置及び解錠位置へと移動させるように制御して扉を施解錠し得る電動式のものが開示されている。
【先行技術文献】
【特許文献】
【０００５】
【特許文献１】特開２０１０−２４２４４８号公報
【発明の概要】
【発明が解決しようとする課題】
【０００６】
しかしながら、上記した防災用倉庫用の施錠システムでは、建物の管理者が不在の時には、防災用倉庫の扉を解錠することができないため、災害時に防災用倉庫内の飲食料品や日用品等を施設利用者に供給することができないおそれがあるという問題がある。
【０００７】
本発明は、上記した課題を解決すべくなされたものであり、災害時に管理者が不在であっても防災用倉庫内の飲食料品や日用品等を施設利用者に確実に供給することのできる施錠システム及び防災用倉庫用電気錠装置を提供することを目的するものである。
【課題を解決するための手段】
【０００８】
上記した目的を達成するため、本発明は、複数の利用者が共有する施設の防災用倉庫の扉に設けられる防災用倉庫用施錠システムであって、前記扉を電動で施解錠する電気錠装置と、前記複数の利用者のそれぞれに固有の複数の認証情報を記憶する記憶部と、前記認証情報を記憶した認証記憶媒体から、前記認証情報を読み取る情報読取部と、前記情報読取部で読み取った前記認証情報と、前記記憶部に記憶された前記認証情報とが一致するか否かを照合するように構成されていて、前記情報読取部で読み取られた前記認証情報が、前記記憶部に記憶された複数の前記認証情報の内、所定時間内に所定数一致する場合に、前記電気錠装置が施錠状態であれば前記電気錠装置を制御して前記扉を解錠する制御部と、を備えることを特徴とする。
【０００９】
この特徴を備えることにより、施設の防災用倉庫や備蓄倉庫の扉が、管理者の認証記憶媒体によって施解錠可能な電気錠装置を備えている場合でも、この防災用倉庫を共有する所定数の利用者の認証記憶媒体を用いることによって、この電気錠装置を操作して扉を解錠することができる。従って、災害時等の非常時等において、管理者が不在であっても、所定数の利用者が協力して防災用倉庫の扉を開けて、防災用倉庫内の飲食料品や日用品等を利用者に確実に供給することができる。また、電気錠装置を操作するためには所定数の利用者の認証記憶媒体が必要であるため、扉の不正解錠を回避することができる。
【００１０】
また、本発明に係る防災用倉庫用施錠システムにおいて、前記制御部は、前記情報読取部で読み取られた認証情報が、前記記憶部に記憶された前記認証情報と連続して一致する場合に、前記電気錠装置を制御して前記扉を解錠することを特徴としてもよい。
【００１１】
この特徴を備えることにより、不正のＩＣカードを含んだ無差別な操作による扉の不正解錠を回避することができる。
【００１２】
また、本発明は、複数の利用者が共有する施設の防災用倉庫の扉に設けられていて、前記扉を電動で施解錠する防災用倉庫用電気錠装置であって、前記複数の利用者のそれぞれに固有の複数の認証情報を記憶する記憶部と、前記認証情報を記憶した認証記憶媒体から、前記認証情報を読み取る情報読取部と、前記情報読取部で読み取った前記認証情報と、前記記憶部に記憶された前記認証情報とが一致するか否かを照合するように構成されていて、前記情報読取部で読み取られた前記認証情報が、前記記憶部に記憶された複数の前記認証情報の内、所定時間内に所定数一致する場合に、該防災用倉庫用電気錠装置が施錠状態であれば該防災用倉庫用電気錠装置を制御して前記扉を解錠する制御部と、を備えることを特徴とする。
【００１３】
また、本発明に係る防災用倉庫用電気錠装置において、前記制御部は、前記情報読取部で読み取られた前記認証情報が、前記記憶部に記憶された前記認証情報と連続して一致する場合に、該防災用倉庫用電気錠装置を制御して前記扉を解錠することを特徴とする。
【発明の効果】
【００１４】
本発明によれば、災害時に管理者が不在であっても防災用倉庫内の飲食料品や日用品等を入居者に確実に供給することのできる等、種々の優れた効果を得ることができる。
【図面の簡単な説明】
【００１５】
【図１】本発明の実施の形態に係る防災用倉庫用施錠システムの全体構成を示す概略図である。
【図２】本発明の実施の形態に係る防災用倉庫用施錠システムの動作例を示すフローチャートである。
【発明を実施するための形態】
【００１６】
以下、図面を参照しつつ、本発明の実施の形態について説明する。なお、以下の説明では、複数の入居者を収容する集合住宅等の、複数の利用者が利用する施設に設置される防災用倉庫（備蓄倉庫）の扉に本発明を適用した場合について例示して説明する。
【００１７】
まず、図１及び図２を参照しつつ、本発明の実施の形態に係る施錠システム１０について説明する。ここで、図１は本発明の実施の形態に係る施錠システム１０の全体構成を示す概略図である。
【００１８】
図１に示されているように、本実施の形態に係る施錠システム１０は、防災用倉庫の扉１１の戸先側に内蔵される電気錠装置１２（防災用倉庫用電気錠装置）と、扉１１の表面等に設けられるカードリーダ１３（情報読取部）と、扉１１の外部に設けられる制御装置１４と、を備えて構成されている。
【００１９】
電気錠装置１２は、例えば、デッドボルト及び該デッドボルトを移動させる電動アクチュエータからなる施解錠機構と、電動アクチュエータを駆動するためのモータ等の駆動部とを備えて構成される（図示せず）。デッドボルトは、扉から突出するように移動して扉枠のストライク内に固定されることにより扉を施錠して開扉不能にし、他方、ストライクから抜脱するように移動して扉内に引き込まれることにより扉を解錠して開扉可能にする。電気錠装置１２は、制御装置１４に接続されていて、制御装置１４から施錠又は解錠を指示する制御信号を受けて、この制御信号に応じて駆動部が電動アクチュエータを駆動する。
【００２０】
カードリーダ１３は、施設の管理者の管理者カードや複数の利用者の利用者カード等の認証カード１５（認証記憶媒体）に記憶された管理者及び各利用者の認証情報を非接触通信によって読み取るように構成される。カードリーダ１３は、制御装置１４に接続されていて、認証カード１５から読み取った認証情報を制御装置１４へと送信する。以下では、カードリーダ１３で読み取った認証情報を「読取情報」とも呼ぶ。認証カード１５は、例えば、カードリーダ１３からの電波に応じて電力を発生させるパッシブタグを備えたＩＣカード等のカード状記憶媒体で構成される。
【００２１】
制御装置１４は、施錠システム１０の全体の動作を統括制御する制御部１６と、管理者及び各利用者の認証情報を予め記憶する記憶部１７と、時間計測用のカウンタ１８とを備える。以下では、記憶部１７に予め記憶された管理者の認証情報を「管理者情報」とも呼び、記憶部１７に予め記憶された利用者の認証情報を「利用者情報」とも呼ぶ。
【００２２】
制御部１６は、カードリーダ１３による読取情報と、記憶部１７における管理者情報又は利用者情報とが一致するか否かを照合し、その照合結果に応じて電気錠装置１２の施解錠を制御するように構成されている。
【００２３】
例えば、制御部１６は、カードリーダ１３による読取情報が、記憶部１７における管理者情報と一致する場合、電気錠装置１２が施錠状態であれば電気錠装置１２を解錠し、また、電気錠装置１２が解錠状態であれば電気錠装置１２を施錠するように制御する。
【００２４】
また、制御部１６は、所定時間内にカードリーダ１３で読み取られた所定数の読取情報が、それぞれ異なる所定数の利用者情報と一致する場合に、電気錠装置１２が施錠状態であれば電気錠装置１２を制御して扉１１を解錠する。制御部１６は、記憶部１７の後述する認証履歴を参照して、読取情報に一致する認証情報が既に認証履歴に記録されているか否かを確認し、これにより異なる所定数の利用者情報を判断することができる。制御部１６は、読取情報と利用者情報との照合をする際の経過時間をカウンタ１８によって計測し、所定時間経過後にカウンタ１８をクリアすると共に記憶部１７の認証履歴をクリアする。
【００２５】
記憶部１７は、上記認証情報に加えて、制御部１６による読取情報と利用者情報との照合において一致した認証情報を認証履歴として記録する。
【００２６】
次に、このような構成を備えた施錠システム１０の動作について図２のフローチャートを参照しながら説明する。
【００２７】
先ず、施錠システム１０では、その初期状態において、電気錠装置１２は施錠状態であり、また、記憶部１７の認証履歴及びカウンタ１８はクリアされた状態であって、カウンタ１８の時間計測は停止している。
【００２８】
ここで、施設の管理者又は利用者が認証カード１５をカードリーダ１３にかざすと、カードリーダ１３が認証カード１５から認証情報（読取情報）を読み取り、この読取情報を制御装置１４へと送信する（ステップＳ１）。
【００２９】
制御装置１４で読取情報を受信すると、制御部１６がカウンタ１８によって経過時間の計測を開始する（ステップＳ２）。
【００３０】
次に、制御部１６は、読取情報が、記憶部１７に記憶された管理者情報と一致するか否かを判定する（ステップＳ３）。
【００３１】
読取情報が管理者情報と一致する場合には（ステップＳ３：Ｙｅｓ）、制御部１６は、電気錠装置１２が施錠状態であるので扉１１を解錠するように電気錠装置１２を制御する（ステップＳ４）。そして、制御部１６は、記憶部１７の認証履歴及びカウンタ１８をクリアする（ステップＳ５）。
【００３２】
他方、読取情報が管理者情報と一致しない場合には（ステップＳ３：Ｎｏ）、読取情報と一致する認証情報が記憶部１７の認証履歴に記録されているか否かを確認する（ステップＳ６）。
【００３３】
ここでは、記憶部１７の認証履歴に認証情報がまだ記録されていないので（ステップＳ６：Ｎｏ）、次に、制御部１６は、読取情報が、記憶部１７に記憶された利用者情報と一致するか否かを判定する（ステップＳ７）。なお、認証履歴に読取情報が記録されている場合については（ステップＳ６：Ｙｅｓ）、次の認証カード１５の読取処理に関して後述するステップＳ１０へと移行する。
【００３４】
読取情報が利用者情報と一致する場合には（ステップＳ７：Ｙｅｓ）、制御部１６は、この読取情報（認証情報）を新たに記憶部１７の認証履歴に記録する（ステップＳ８）。なお、読取情報が利用者情報と一致しない場合については、（ステップＳ７：Ｎｏ）、次の認証カード１５の読取処理に関して後述するステップＳ１０へと移行する。
【００３５】
そして、制御部１６は、記憶部１７の認証履歴に所定数の認証情報が記録されているか否かを判定する（ステップＳ９）。認証履歴に記録した認証情報が所定数に達した場合（所定数以上の場合）には（ステップＳ９：Ｙｅｓ）、制御部１６は、電気錠装置１２が施錠状態であるので扉１１を解錠するように電気錠装置１２を制御して（ステップＳ４）、記憶部１７の認証履歴及びカウンタ１８をクリアする（ステップＳ５）。
【００３６】
所定数の認証情報が記録されていない場合には（ステップＳ９：Ｎｏ）、上記した認証履歴に読取情報が記録されている場合（ステップＳ６：Ｙｅｓ）や、読取情報が利用者情報と一致しない場合（ステップＳ７：Ｎｏ）と同様にして、次の認証カード１５の読取処理に関するステップＳ１０へと移行する。
【００３７】
このステップＳ１０において、制御部１６は、カウンタ１８が時間計測を開始してから所定時間が経過したか否かを判定する。
【００３８】
カウンタ１８が所定時間を経過していない場合には（ステップＳ１０：Ｎｏ）、カードリーダ１３が次の認証カード１５の読取を待機することになる（ステップＳ１１）。そして、カードリーダ１３が次の認証カード１５の読取処理を行うと（ステップＳ１１：Ｙｅｓ）、上記と同様にして、認証カード１５からの読取情報の判定処理（ステップＳ３〜Ｓ１０）が行われる。ここでも読取情報と管理者情報との判定が行われるので、利用者の認証カード１５の読取処理を開始した後で管理者の認証カード１５を利用可能になった場合には、所定時間を待つことなく、電気錠装置１２の解錠を行うことができる。
【００３９】
他方、カウンタ１８が所定時間を経過している場合には（ステップＳ１０：Ｙｅｓ）、制御部１６は、電気錠装置１２の解錠制御を行うことなく、記憶部１７の認証履歴及びカウンタ１８をクリアする（ステップＳ５）。
【００４０】
なお、カウンタ１８の所定時間経過の監視（ステップＳ１０）と、次の認証カード１５の読取の待機（ステップＳ１１）とは、並行して行われてよい。
【００４１】
上記したように本実施の形態に係る施錠システム１０によれば、扉１１を電動で施解錠する電気錠装置１２と、複数の利用者のそれぞれに固有の複数の認証情報を記憶する記憶部１７と、認証情報を記憶した認証カード１５（認証記憶媒体）から、認証情報を読み取るカードリーダ１３（情報読取部）と、カードリーダ１３で読み取った認証情報と、記憶部１７に記憶された認証情報とが一致するか否かを照合するように構成されていて、所定時間内にカードリーダ１３で読み取られた認証情報が、記憶部１７に記憶されたそれぞれ異なる所定数の認証情報と一致する場合に、電気錠装置１２が施錠状態であれば電気錠装置１２を制御して扉１１を解錠する制御部１６と、を備える。
【００４２】
これにより、施錠システム１０は、施設の防災用倉庫（備蓄倉庫）の扉１１が、管理者の認証カード１５によって施解錠可能な電気錠装置１２を備えている場合でも、この防災用倉庫を共有する所定数の利用者の認証カード１５を用いることによって、この電気錠装置１２を操作して扉１１を解錠することができる。従って、災害時等の非常時等において、管理者が不在であっても、所定数の利用者が協力して防災用倉庫の扉を開けて、防災用倉庫内の飲食料品や日用品等を利用者に確実に供給することができる。また、施錠システム１０は、電気錠装置１２を操作するためには、所定数の利用者の認証カード１５が必要であるため、扉１１の不正解錠を回避することができる。
【００４３】
上記した実施の形態では、制御部１６は、所定時間内にカードリーダ１３で読み取られた読取情報がそれぞれ異なる所定数の利用者情報と一致する場合であれば、読取情報と利用者情報との照合の不一致があった場合でも、扉１１の解錠をする構成としているが、この構成に限定されない。例えば、他の実施の形態では、制御部１６は、所定時間内にカードリーダ１３で連続して読み取られた読取情報が、それぞれ異なる所定数の利用者情報と一致する場合に、電気錠装置１２を制御して扉１１を解錠するように構成されてもよい。
【００４４】
これにより、不正のＩＣカードを含んだ無差別な操作による扉１１の不正解錠を回避することができる。
【００４５】
なお、上記した実施の形態に係る施錠システム１０におけるカードリーダ１３の代わりに、例えば、FeliCa（登録商標）等の非接触型ＩＣカード、キーヘッド、タグ、指で接触するタッチキー、指紋等の生体認証式等、他の電気的な認証手段を使用することも可能である。
【００４６】
また、本発明の実施の形態に係る施錠システム１０は、防災用倉庫の扉であれば開き戸や引き戸等、扉の種類に拘わらず適用可能である。
【００４７】
また、本発明は、施錠システム１０に限定されず、上記したカードリーダ１３及び制御装置１４と一体的に構成された防災用倉庫用の電気錠装置１２に適用することもできる。
【００４８】
また、上記した本発明の各実施の形態の説明は、本発明に係る防災用倉庫用施錠システム及び防災用倉庫用電気錠装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４９】
１０    施錠システム
１１    扉
１２    電気錠装置
１３    カードリーダ（情報読取部）
１５    認証カード（認証記憶媒体）
１６    制御部
１７    記憶部
１８    カウンタ
【図１】
2015183444.tif 000003
【図２】
2015183444.tif 000004